(57)【要約】【課題】複数の電池情報取得モジュールの各々に対して識別子を自律的に設定可能な組電池システムを提供する。【解決手段】第１の電池セル及び第２の電池セルを含む複数の電池セルが直列接続された組電池２００と、第１の電池セルの第１の電池情報を取得し、第１の電池情報に第１の識別子を付加して送信するモジュール１００−１と、モジュール１００−１にキャパシタＣ２を介して接続され、第２の電池セルの第２の電池情報を取得し、第２の電池情報に第２の識別子を付加して送信するモジュール１００−２と、モジュール１００−１にキャパシタＣ１を介して接続され、システム起動後にモジュール１００−１を起動して第１の識別子を設定し、第１の識別子の設定後にモジュール１００−２を起動して第２の識別子を設定し、第１の電池情報及び第２の電池情報を監視する管理ユニット３００とを具備する。【選択図】      図２
2010146991.tif 000002
【特許請求の範囲】
【請求項１】
第１の電池セル及び第２の電池セルを含む複数の電池セルが直列接続された組電池と、
前記第１の電池セルの第１の電池情報を取得し、当該第１の電池情報に第１の識別子を付加して送信する第１のモジュールと、
前記第１のモジュールに第１のキャパシタを介して接続され、前記第２の電池セルの第２の電池情報を取得し、当該第２の電池情報に前記第１の識別子と異なる第２の識別子を付加して送信する第２のモジュールと、
前記第１のモジュールに第２のキャパシタを介して接続され、システム起動後に前記第１のモジュールを起動して前記第１の識別子を設定し、前記第１の識別子の設定後に前記第２のモジュールを起動して前記第２の識別子を設定し、前記第１の電池情報及び前記第２の電池情報を監視する管理ユニットと
を具備することを特徴とする組電池システム。
【請求項２】
前記第１のモジュールは、当該第１のモジュールが起動したことを前記管理ユニットへ通知するための第１の信号を送信し、前記第１の信号の送信後に前記第１の識別子が格納された第２の信号を前記管理ユニットから受信する第１の送受信回路を有し、
前記第２のモジュールは、当該第２のモジュールが起動したことを前記管理ユニットへ通知するための第３の信号を送信し、前記第３の信号の送信後に前記第２の識別子が格納された第４の信号を前記管理ユニットから受信する第２の送受信回路を有する
ことを特徴とする請求項１記載の組電池システム。
【請求項３】
前記第１のモジュールは、
システム起動後に前記管理ユニットから前記第２のキャパシタを介して流れ込む第５の信号を整流して第１の直流電圧を得る第１の整流器と、
前記第１の直流電圧を用いて前記第１の送受信回路を起動する第１の起動回路と、
前記第１の識別子が保存される第１のメモリとを更に有し、
前記第２のモジュールは、
前記第１の識別子が前記第１のメモリに保存された後に前記第１のモジュール及び前記第１のキャパシタを介して流れ込む前記第５の信号を整流して第２の直流電圧を得る第２の整流器と、
前記第２の直流電圧を用いて前記第２の送受信回路を起動する第２の起動回路と、
前記第２の識別子が保存される第２のメモリとを更に有する
ことを特徴とする請求項２記載の組電池システム。
【請求項４】
前記第１の送受信回路は、前記第１の電池情報及び前記第１の信号を送信し、前記第２の信号を受信する第１のアンテナに接続され、
前記第２の送受信回路は、前記第２の電池情報及び前記第３の信号を送信し、前記第４の信号を受信する第２のアンテナに接続される
ことを特徴とする請求項３記載の組電池システム。
【請求項５】
前記第１のメモリは不揮発性メモリであって、前記第１の識別子が保存された後に電力供給が停止され、
前記第２のメモリは不揮発性メモリであって、前記第２の識別子が保存された後に電力供給が停止される
ことを特徴とする請求項３記載の組電池システム。
【請求項６】
前記第１の送受信回路は、前記第１の電池情報及び前記第１の信号を送信し、前記第２の信号を受信する第１のトランスに接続され、
前記第２の送受信回路は、前記第２の電池情報及び前記第３の信号を送信し、前記第４の信号を受信する第２のトランスに接続される
ことを特徴とする請求項３記載の組電池システム。
【請求項７】
前記第５の信号は差動信号であることを特徴とする請求項３記載の組電池システム。
【請求項８】
前記第１の電池情報、前記第２の電池情報、前記第１の信号、前記第２の信号、前記第３の信号、前記第４の信号及び前記第５の信号は共通の信号経路を介して伝送されることを特徴とする請求項３記載の組電池システム。
【発明の詳細な説明】
【技術分野】
【０００１】
本発明は、複数の電池セルの電池情報を共通の伝送路を介して伝送する組電池システムに関する。
【背景技術】
【０００２】
近年、環境負荷を低減する観点から、電気自動車やハイブリッド自動車が注目を集めている。電気自動車やハイブリッド自動車の走行性能を左右する車載用バッテリには、モータを駆動するために数十ボルト以上の高い電圧が要求される。車載用バッテリとして、起電力１〜２Ｖ程度の電池セルを複数（数十個程度）直列に接続して高い電圧を得る、いわゆる組電池が使用されることがある。
【０００３】
組電池では、電池セル間の電圧のばらつきが問題となる。電池セルは直列に接続されているため各電池セルに流れる電流は共通であるが、電池セル間に容量（キャパシティ）のばらつきがあると電圧のばらつきが生じる。即ち、充電時に電圧が上限電圧に達したり（過充電状態）、放電時に電圧が下限電圧に達したり（過放電状態）するおそれがある。電池セルの過充電状態及び過放電状態は、いずれも組電池の性能劣化の要因となる。従って、組電池システムにおいて、組電池を構成する個々の電池セルの電圧、温度等の電池情報を取得するための電池情報取得回路が設けられ、当該電池情報取得回路によって取得された電池情報が組電池システム全体を統括制御する管理ユニットに伝送される。管理ユニットは、上記電池情報を監視し、必要に応じて電池セルの電圧を調節したり、電池セルの異常を外部に報知したりする。
【０００４】
電池情報の伝送手段の一類型として、有線通信が挙げられる。即ち、電池情報取得回路と管理ユニットとの間を例えばケーブル（ハーネス）を用いて個別に接続すれば、電池情報取得回路は電池情報を管理ユニットへ伝送できる。しかしながら、管理ユニットと電池情報取得回路との間を個別に有線接続する場合、上記ケーブルの配線により組電池システムの構成が煩雑となる。
【０００５】
特許文献１には、無線通信により電池情報を伝送する状態監視装置が記載されている。特許文献１記載の状態監視装置によれば、電池情報を伝送するためのケーブルが不要となるので組電池システムの構成を単純化できる。
【特許文献１】特開２００５−１３５７６２号公報
【発明の開示】
【発明が解決しようとする課題】
【０００６】
特許文献１記載の状態監視装置において電池情報の伝送路は共通化されるため、当該電池情報の送信元を識別するための識別子（ＩＤ）が必要となる。即ち、電池情報取得回路毎に一意の値がＩＤとして設定され、各電池情報取得回路に接続されたメモリに記録される。ここで、ＩＤの具体的な設定手法が問題となる。
【０００７】
仮に、電池情報取得回路、メモリ等を含む電池情報取得モジュールの製造時にＩＤを設定するとすれば、各電池情報取得モジュール内部のメモリに個別のＩＤを書き込む工程が必要となる。また、電池情報取得モジュールを上記ＩＤに応じた電池セルへ正しく接続する必要がある。更に、組電池システムの使用中に一部の電池情報取得モジュールに不良が生じた場合には、当該電池情報取得モジュールと同一のＩＤを書き込んだ新たな電池情報モジュールを用いて交換する必要がある。即ち、電池情報取得モジュールの製造時にＩＤを設定することは、組電池システムの製造コスト及び交換コストの観点から好ましくない。
【０００８】
従って、本発明は複数の電池情報取得モジュールの各々に対して識別子を自律的に設定可能な組電池システムを提供することを目的とする。
【課題を解決するための手段】
【０００９】
本発明の一態様に係る組電池システムは、第１の電池セル及び第２の電池セルを含む複数の電池セルが直列接続された組電池と、前記第１の電池セルの第１の電池情報を取得し、当該第１の電池情報に第１の識別子を付加して送信する第１のモジュールと、前記第１のモジュールに第１のキャパシタを介して接続され、前記第２の電池セルの第２の電池情報を取得し、当該第２の電池情報に前記第１の識別子と異なる第２の識別子を付加して送信する第２のモジュールと、前記第１のモジュールに第２のキャパシタを介して接続され、システム起動後に前記第１のモジュールを起動して前記第１の識別子を設定し、前記第１の識別子の設定後に前記第２のモジュールを起動して前記第２の識別子を設定し、前記第１の電池情報及び前記第２の電池情報を監視する管理ユニットとを具備する。
【発明の効果】
【００１０】
本発明によれば、複数の電池情報取得モジュールの各々に対して識別子を自律的に設定可能な組電池システムを提供できる。
【発明を実施するための最良の形態】
【００１１】
以下、図面を参照して、本発明の実施形態について説明する。  
（第１の実施形態）  
図１に示すように、本発明の第１の実施形態に係る組電池システムは、電池情報取得モジュール１００、組電池２００及び管理ユニット３００を有する。尚、図１は、本実施形態に係る組電池システムにおいて主に電池情報の通信に必要となる構成要素を例示しているに過ぎない。従って、本実施形態に係る組電池システムを実施する際には、図示されていない構成要素が付加され得るし、図示されている構成要素の一部が他の図示されていない構成要素に置換され得る。
【００１２】
組電池２００は、高電圧を得るために複数の電池セル２１０を直列接続して構成される。電池セル２１０は、例えばリチウムイオン電池（ＬｉＢ）のような二次電池である。組電池２００の両端は、モータ等の外部機器に接続するための外部端子に接続される。尚、組電池２００の一端は、管理ユニット３００を介して外部端子に接続される。組電池２００は、大容量を得るために上記直列接続された複数の電池セル２１０を更に並列接続して構成されてもよい。
【００１３】
電池情報取得モジュール１００は、電池情報取得回路１０１、送受信回路１０２及びアンテナ１０３を有する。電池情報取得モジュール１００は、電池セル２１０毎に設けられてもよいし、複数（例えば５個）の電池セル２１０からなる電池セルグループ毎に設けられてもよい。電池情報取得部１００は、管理ユニット３００から受信した制御信号に従って電池セル２１０の電池情報を取得し、管理ユニット３００へ送信する。
【００１４】
電池情報取得回路１０１は、送受信回路１０２から電池情報を要求されると、測定対象となる電池セル２１０の両端に生じる電圧、当該電池セル２１０の温度等を測定して電池情報を生成する。電池情報取得回路１０１は、生成した電池情報を送受信回路１０２に入力する。
【００１５】
送受信回路１０２は、アンテナ１０３からの無線信号に対してダウンコンバート処理、アナログ−デジタル変換処理、復調処理、復号処理等を施して制御信号を再生する。送受信回路１０２は、再生した制御信号に格納されるＩＤと当該送受信回路１０２を含む電池情報取得モジュール１００に設定されているＩＤとが一致するか否かを判定し、両者が一致すれば電池情報取得回路１０１に電池情報を要求する。また、送受信回路１０２は、電池情報取得回路１０１から入力される電池情報に対して上記ＩＤを付加したうえで、符号化処理、変調処理、デジタル−アナログ変換処理、アップコンバート処理等を施して無線信号を生成し、アンテナ１０３に入力する。
【００１６】
アンテナ１０３は、後述するアンテナ３０１から受信した無線信号を送受信回路１０２に入力したり、送受信回路１０２から入力される無線信号を上記アンテナ３０１に送信したりする。
【００１７】
管理ユニット３００は、アンテナ３０１を有する。管理ユニット３００は、組電池２００を構成する複数の電池セル２１０の各々の電池情報を周期的に監視し、異常があれば外部に報知する。また、管理ユニット３００は、組電池システムのシステム起動時に後述するＩＤ設定処理を行う。
【００１８】
管理ユニット３００は、電池情報の監視を実現するために、監視対象とする電池セル２１０に接続された電池情報取得モジュール１００に設定されているＩＤを格納した制御信号を生成する。更に、管理ユニット３００は、上記制御信号に対して符号化処理、変調処理、デジタル−アナログ変換処理、アップコンバート処理等を施して無線信号を生成し、アンテナ３０１に入力する。
【００１９】
また、管理ユニット３００は、アンテナ３０１から入力される無線信号に対してダウンコンバート処理、アナログ−デジタル変換処理、復調処理、復号処理等を施して、監視対象の電池セル２１０の電池情報を再生する。管理ユニット３００は、上記電池情報に付加されているＩＤによって識別される電池情報取得モジュール１００に接続された電池セル２１０の異常の有無を確認する。管理ユニット３００は、上記電池情報に異常があれば、異常の解消を試みたり、異常を外部に報知するための信号を出力したりする。
【００２０】
アンテナ３０１は、管理ユニット３００から入力される無線信号をアンテナ１０１に送信したり、アンテナ１０１から受信した無線信号を管理ユニット３００に入力したりする。
【００２１】
本実施形態に係る組電池システムにおいて、ＩＤは電池情報取得モジュール１００の製造時ではなく、組電池システムの起動時に管理ユニット３００によって設定される。以下、図２を用いて本実施形態に係る組電池システムを更に詳しく説明する。尚、図２において、簡単化のために電池情報取得モジュールは２つだけ示されているが、電池情報取得モジュールが３以上であっても当業者であれば以降の説明に基づき本実施形態に係る組電池システムを実施可能である。
【００２２】
図２に示すように、２つの電池情報取得モジュール１００−１及び１００−２は、２つの電池セルグループ２１０−１及び２１０−２に夫々接続される。管理ユニット３００、電池情報取得モジュール１００−１及び電池情報取得モジュール１００−２は、後述する起動用信号を伝送するための信号線を介して直列的に接続される。より詳細には、管理ユニット３００と電池情報取得モジュール１００−１との間にはキャパシタＣ１が挿入され、電池情報取得モジュール１００−１と電池情報取得モジュール１００−２との間にはキャパシタＣ２が挿入される。これらキャパシタＣ１及びキャパシタＣ２は、何らかの原因（例えば、電池情報取得モジュール１００−１及び／または電池情報取得モジュール１００−２の不良）による管理ユニット３００へのＤＣ（Direct Current）成分の流入を防ぐ役割を果たす。また、キャパシタＣ１及びキャパシタＣ２は、管理ユニット３００に要求される耐圧を下げる役割も果たす。
【００２３】
電池情報取得モジュール１００−１は、電池情報取得回路１０１−１、送受信回路１０２−１、アンテナ１０３−１、整流器１１０−１、起動回路１２０−１、メモリ１３０−１及び３つのスイッチＳ１＿１、Ｓ１＿２及びＳ１＿３を有する。また、電池情報取得モジュール１００−２は、電池情報取得回路１０１−２、送受信回路１０２−２、アンテナ１０３−２、整流器１１０−２、起動回路１２０−２、メモリ１３０−２及び３つのスイッチＳ２＿１、Ｓ２＿２及びＳ２＿３を有する。
【００２４】
尚、電池情報取得モジュール１００−１及び１００−２の内部構成は類似するので、電池情報取得モジュール１００−１の構成要素を説明し、電池情報取得モジュール１００−２の説明を省略する。
【００２５】
電池情報取得回路１０１−１は、送受信回路１０２−１から電池情報を要求されると、電池セルグループ２１０−１を構成する電池セルのうち測定対象となる電池セルの両端に生じる電圧、当該電池セルの温度等を測定して電池情報を生成する。電池情報取得回路１０１−１は、生成した電池情報を送受信回路１０２−１に入力する。
【００２６】
送受信回路１０２−１は、アンテナ１０３−１からの無線信号に対してダウンコンバート処理、アナログ−デジタル変換処理、復調処理、復号処理等を施して制御信号または後述するＩＤ設定信号を再生する。
【００２７】
送受信回路１０２−１は、再生したＩＤ設定信号に格納されるＩＤを後述するメモリ１３０−１に書き込む。また、送受信回路１０２−１は、メモリ１３０−１にＩＤを書き込んだ後、スイッチＳ１＿２をＯＮにして、起動用信号が電池情報取得モジュール１００−２に到達するようにする。
【００２８】
送受信回路１０２−１は、再生した制御信号に格納されるＩＤと電池情報取得モジュール１００−１に対して設定され後述するメモリ１３０−１に保存されているＩＤとが一致するか否かを判定し、両者が一致すれば電池情報取得回路１０１−１に電池情報を要求する。
【００２９】
送受信回路１０２−１は、電池情報取得回路１０１−１から入力される電池情報に対して上記ＩＤを付加したうえで、符号化処理、変調処理、デジタル−アナログ変換処理、アップコンバート処理等を施して無線信号を生成し、アンテナ１０３−１に入力する。また、送受信回路１０２−１は、後述する起動回路１２０−１によって起動された際に起動確認信号を生成し、アンテナ１０３−１に入力する。ここで、起動確認信号は、管理ユニット３００に対して電池情報取得モジュール１００−１が起動したことを通知するための信号であり、特定の態様に限定されるものでない。
【００３０】
アンテナ１０３−１は、アンテナ３０１から受信した無線信号を送受信回路１０２−１に入力したり、送受信回路１０２−１から入力される無線信号をアンテナ３０１に送信したりする。管理ユニット３００は、アンテナ１０３−１から起動確認信号をアンテナ３０１によって受信すると、電池情報取得モジュール１００−１に設定すべきＩＤを格納したＩＤ設定信号を生成し、アンテナ３０１より送信する。
【００３１】
整流器１１０−１は、管理ユニット３００から伝送される起動用信号を整流し、直流電圧を起動回路１２０−１に与える。ここで、例えば所定周期のパルス波が起動用信号として使用可能である。起動回路１２０−１は、上記直流電圧を用いて、スイッチＳ１＿１及びスイッチＳ１＿３をＯＮにして、電池情報取得回路１０１−１及び送受信回路１０２−１を起動させる。メモリ１３０−１には、送受信回路１０２−１によって書き込まれたＩＤが保存される。また、平時において３つのスイッチＳ１＿１、Ｓ１＿２及びＳ１＿３はいずれもＯＦＦである。
【００３２】
以下、図３のフローチャートを用いて、本実施形態に係る組電池システムにおけるＩＤ設定処理を説明する。  
まず、管理ユニット３００は、カウンタ用の変数ｉに１を代入して初期化し、処理はステップＳ４０２に進む（ステップＳ４０１）。
【００３３】
ステップＳ４０２において、管理ユニット３００は、起動用信号の伝送のための信号線を介して起動用信号を伝送する。最初（即ち、ｉ＝１であるとき）は、スイッチＳ１＿２がＯＦＦであるので、起動用信号は電池情報取得モジュール１００−２には到達しない。また、ｉが２以上のとき、スイッチＳｉ＿２がＯＦＦであるので、起動用信号は電池情報モジュール１００−（ｉ＋１）には到達しない。
【００３４】
次に、電池情報取得モジュール１００−ｉ内部の整流器１１０−ｉは、ステップＳ４０１において伝送された起動用信号を整流し、直流電圧を起動回路１２０−ｉに与える。（ステップＳ４０３）。起動回路１２０−ｉはステップＳ４０３において与えられた直流電圧を用いてスイッチＳｉ＿１をＯＮにして、送受信回路１０２−ｉを起動させる（ステップＳ４０４）。
【００３５】
次に、送受信回路１０２−ｉは、起動確認信号を生成し、アンテナ１０３−ｉを介して送信する（ステップＳ４０５）。管理ユニット３００は、ステップＳ４０５において送信された起動確認信号をアンテナ３０１により受信し、現在のカウンタ用変数ｉに対応するＩＤを格納したＩＤ設定信号を生成し、当該ＩＤ設定信号をアンテナ３０１により送信する（ステップＳ４０６）。ここで、変数ｉとＩＤとの関係は、特に限られず、ｉの値そのものやｉの値に何らかの演算を施して得られる値をＩＤとしてもよいし、ｉの値とは無関係の値をＩＤとしてもよい。
【００３６】
次に、送受信回路１０２−ｉは、ステップＳ４０６において送信されたＩＤ設定信号をアンテナ１０３−ｉにより受信し、当該ＩＤ設定信号に格納されるＩＤをメモリ１３０−ｉに書き込み（ステップＳ４０７）、スイッチＳｉ＿２をＯＮにする（ステップＳ４０８）。スイッチＳｉ＿２がＯＮとなることにより、電池情報取得モジュール１００−（ｉ＋１）に起動用信号が到達するようになる。
【００３７】
ステップＳ４０８の完了後、ｉがＮに一致していれば処理は終了し、そうでなければ処理はステップＳ４１０に進む（ステップＳ４０９）。ここで、Ｎは電池情報モジュール１００の総数である。ステップＳ４１０において、管理ユニット３００は変数ｉを１インクリメントし、処理はステップＳ４０２に戻る。
【００３８】
このように、管理ユニット３００は、組電池システムの起動時に、起動用信号の伝送のための信号線を介して、複数の電池情報取得モジュール１００−１、１００−２、・・・１００−Ｎを当該管理ユニット３００に近い順に１つずつ起動させて、ＩＤを設定する処理を繰り返す。
【００３９】
以上説明したように、本実施形態に係る組電池システムにおいて、管理ユニットが組電池システムの起動時に、複数の電池情報取得モジュールを１つずつ起動させてＩＤを設定するようにしている。従って、本実施形態に係る組電池システムによれば、複数の電池情報取得モジュールの各々に対して識別子を自律的に設定できる。即ち、本実施形態に係る組電池システムによれば、電池情報取得モジュールのＩＤを事後的に設定できるため、電池情報取得モジュールの製造及び交換においてＩＤによる識別が不要となり、コストが抑えられる。
【００４０】
（第２の実施形態）  
図４に示すように、本発明の第２の実施形態に係る組電池システムは、上記図２に示す組電池システムにおいて、電池情報取得モジュール１００−１及び１００−２を電池情報取得モジュール５００−１及び５００−２に置き換えている。以下の説明では、図４において図２と同一部分には同一符号を付して示し、異なる部分を中心に述べる。
【００４１】
尚、電池情報取得モジュール５００−１及び５００−２の内部構成は類似するので、電池情報取得モジュール５００−１の構成要素を説明し、電池情報取得モジュール５００−２の説明を省略する。
【００４２】
電池情報取得モジュール５００−１は、前述した電池情報取得モジュール１００−１におけるメモリ１３０−１及び起動回路１２０−１をメモリ５３０−１及び起動回路５２０−１に夫々置き換え、スイッチＳ１＿４を更に設けて構成される。
【００４３】
メモリ５３０−１は、不揮発性メモリで構成される。即ち、メモリ５３０−１は電力供給が停止された場合にも記憶内容を失わない。メモリ５３０−１への電力供給はスイッチＳ１＿４のＯＮ／ＯＦＦによって制御される。
【００４４】
起動回路５２０−１は、整流器１１０−１から直流電圧を与えられると、スイッチＳ１＿１及びＳ１＿３と共にスイッチＳ１＿４をＯＮにして、メモリ５３０−１へ電力を供給させる。そして、メモリ５３０−１にＩＤが保存されると、スイッチＳ１＿４はＯＦＦに切り替えられ、メモリ５３０−１への電力供給が停止する。
【００４５】
以上説明したように、本実施形態に係る組電池システムは、前述した第１の実施形態に係る組電池システムにおけるＩＤ保存のためのメモリを不揮発性メモリで構成している。従って、本実施形態に係る組電池システムによれば、ＩＤ保存後にメモリへの電力供給を停止できるため、第１の実施形態に係る組電池システムを低消費電力に構成できる。
【００４６】
（第３の実施形態）  
図５に示すように、本発明の第３の実施形態に係る組電池システムは、上記図２に示す組電池システムにおいて、電池情報取得モジュール１００−１及び１００−２を電池情報取得モジュール６００−１及び６００−２に置き換えている。以下の説明では、図５において図２と同一部分には同一符号を付して示し、異なる部分を中心に述べる。
【００４７】
尚、電池情報取得モジュール６００−１及び６００−２の内部構成は類似するので、電池情報取得モジュール６００−１の構成要素を説明し、電池情報取得モジュール６００−２の説明を省略する。
【００４８】
電池情報取得モジュール６００−１は、前述した電池情報取得モジュール１００−１におけるアンテナ１０３−１をトランス６０３−１に置き換えて構成される。トランス６０３−１を介して、送受信回路１０２−１と管理ユニット３００との間で各種信号が送受信される。
【００４９】
以上説明したように、本実施形態に係る組電池システムは、前述した第１の実施形態に係る組電池システムにおけるアンテナをトランスに置き換えて構成している。本実施形態に係る組電池システムによっても、第１の実施形態に係る組電池システムと同様の効果が得られる。
【００５０】
（第４の実施形態）  
図６に示すように、本発明の第４の実施形態に係る組電池システムは、上記図２に示す組電池システムにおいて、電池情報取得モジュール１００−１及び１００−２を電池情報取得モジュール７００−１及び７００−２に置き換えている。以下の説明では、図６において図２と同一部分には同一符号を付して示し、異なる部分を中心に述べる。
【００５１】
本実施形態に係る組電池システムにおいて、前述した起動用信号は差動信号である。従って、起動用信号を伝送するための信号線は、正相信号用の第１の信号線と逆相信号用の第２の信号線とで構成される。また、キャパシタＣ１はキャパシタＣ１ｐ及びＣ１ｎに置き換えられ、キャパシタＣ２はキャパシタＣ２ｐ及びＣ２ｎに置き換えられている。
【００５２】
尚、電池情報取得モジュール７００−１及び７００−２の内部構成は類似するので、電池情報取得モジュール７００−１の構成要素を説明し、電池情報取得モジュール７００−２の説明を省略する。
【００５３】
電池情報取得モジュール７００−１は、前述した電池情報取得モジュール１００−１における整流器１１０−１を整流器７１０−１、スイッチＳ１＿２をスイッチＳ１＿２ｐ及びＳ１＿２ｎに夫々置き換えて構成される。スイッチＳ１＿２ｐ及びＳ１＿２ｎは、夫々上記第１の信号線及び第２の信号線に設けられ、スイッチＳ１＿２と同様の役割を果たす。整流器７１０−１は、第１の信号線及び第２の信号線を介して入力される差動の起動用信号を整流し、直流電圧を起動回路１２０−１に与える。
【００５４】
以上説明したように、本実施形態に係る組電池システムは、前述した第１の実施形態に係る組電池システムにおける起動用信号を差動信号で構成している。本実施形態に係る組電池システムによっても、第１の実施形態に係る組電池システムと同様の効果が得られる。
【００５５】
（第５の実施形態）  
図７に示すように、本発明の第５の実施形態に係る組電池システムは、上記図６に示す組電池システムにおいて、電池情報取得モジュール７００−１及び７００−２を電池情報取得モジュール８００−１及び８００−２に置き換えている。以下の説明では、図７において図６と同一部分には同一符号を付して示し、異なる部分を中心に述べる。
【００５６】
尚、電池情報取得モジュール８００−１及び８００−２の内部構成は類似するので、電池情報取得モジュール８００−１の構成要素を説明し、電池情報取得モジュール８００−２の説明を省略する。
【００５７】
電池情報取得モジュール８００−１は、前述した電池情報取得モジュール７００−１におけるスイッチＳ１＿２ｐ及びＳ１＿２ｎをスイッチＳ１＿５ｐ及びスイッチＳ１＿５ｎに夫々置き換え、アンテナ１０３−１を取り除いて構成される。
【００５８】
本実施形態に係る組電池システムにおいて、電池情報、起動確認信号及びＩＤ設定信号は、いずれも起動用信号と同一の信号経路を介して伝送される。従って、電池情報取得モジュール８００−１の起動後において、スイッチＳ１＿５ｐ及びスイッチＳ１＿５ｎは常にＯＮで固定され、電池情報、起動確認信号及びＩＤ設定信号の信号経路を確保する。
【００５９】
以上説明したように、本実施形態に係る組電池システムは、前述した第４の実施形態に係る組電池システムにおいて電池情報、起動確認信号、ＩＤ設定信号及び起動用信号の伝送路を共通化している。本実施形態に係る組電池システムによっても、第４の実施形態に係る組電池システムと同様の効果が得られる。
【００６０】
尚、本発明は上記各実施形態そのままに限定されるものではなく、実施段階ではその要旨を逸脱しない範囲で構成要素を変形して具体化できる。また上記各実施形態に開示されている複数の構成要素を適宜組み合わせることによって種々の発明を形成できる。また例えば、各実施形態に示される全構成要素からいくつかの構成要素を削除した構成も考えられる。さらに、異なる実施形態に記載した構成要素を適宜組み合わせてもよい。
【図面の簡単な説明】
【００６１】
【図１】第１の実施形態に係る組電池システムを概略的に示すブロック図。
【図２】第１の実施形態に係る組電池システムを示すブロック図。
【図３】図２の組電池システムによるＩＤ設定処理を示すフローチャート。
【図４】第２の実施形態に係る組電池システムを示すブロック図。
【図５】第３の実施形態に係る組電池システムを示すブロック図。
【図６】第４の実施形態に係る組電池システムを示すブロック図。
【図７】第５の実施形態に係る組電池システムを示すブロック図。
【符号の説明】
【００６２】
１００，１００−１，１００−２・・・電池情報取得モジュール
１０１，１０１−１，１０１−２・・・電池情報取得回路
１０２，１０２−１，１０２−２・・・送受信回路
１０３，１０３−１，１０３−２・・・アンテナ
１１０−１，１１０−２・・・整流器
１２０−１，１２０−２・・・起動回路
１３０−１，１３０−２・・・メモリ
２００・・・組電池
２１０・・・電池セル
２１０−１，２１０−２・・・電池セルグループ
３００・・・管理ユニット
３０１・・・アンテナ
５００−１，５００−２・・・電池情報取得モジュール
５２０−１，５２０−２・・・起動回路
５３０−１，５３０−２・・・メモリ
６００−１，６００−２・・・電池情報取得モジュール
６０３−１，６０３−２・・・トランス
７００−１，７００−２・・・電池情報取得モジュール
７１０−１，７１０−２・・・整流器
８００−１，８００−２・・・電池情報取得モジュール
【図１】
2010146991.tif 000003
【図２】
2010146991.tif 000004
【図３】
2010146991.tif 000005
【図４】
2010146991.tif 000006
【図５】
2010146991.tif 000007
【図６】
2010146991.tif 000008
【図７】
2010146991.tif 000009